(57)【要約】【解決手段】収容ケース付き刃物製品１は、刃体３を取り付けた口金５から把持部６を経て尻金７にわたり延設された柄４を有する刃物２と、刃物２を収容して保持する収容ケース８とを備えている。収容ケース８は、スリット２０を設けた底壁部１２，１５と、磁石２２を埋設した周壁部１３，１６と、刃物２を収容する収容室１７と、スリット２５ａを設けた押さえ２５とを有している。刃物２の収容状態では、刃体３の刃縁３ａがスリット２０に挿入されるとともに、刃体３の背縁３ｂが押さえ２５のスリット２５ａに挿入され、磁性体である尻金７が磁石２２により周壁部１６を介して引き付けられる。【効果】収容ケース付き刃物製品１及び刃物収容ケース８で磁石２２を利用した刃物２の保持構造において、刃物収容ケース８に対し磁石２２を取り付ける構造を簡単にすることができる。【選択図】図３
2006232324.tif 000002
【特許請求の範囲】
【請求項１】
刃体を取り付けた頭部から把持部を経て尻部にわたり延設された柄を有する刃物と、その刃物を収容して保持する収容ケースとを備えた収容ケース付き刃物製品において、磁石とその磁石に引き付けられる磁性体とのうち一方のものを収容ケースに設けるとともに他方のものを刃物の柄の尻部に設けたことを特徴とする収容ケース付き刃物製品。
【請求項２】
前記磁石は前記収容ケースで収容室を形成する壁部に設けられ、前記磁性体はこの収容室に入れられた前記刃物における柄の尻部に設けられていることを特徴とする請求項１に記載の収容ケース付き刃物製品。
【請求項３】
前記収容ケースは前記刃物が載置される底側の壁部とその底側の壁部の外周を囲う周囲の壁部とこの底側の壁部と周囲の壁部とで形成される収容室とを有するケース本体を備え、前記磁石はこのケース本体で周囲の壁部または底側の壁部に設けられ、前記磁性体はこのケース本体の収容室に入れられた前記刃物における柄の尻部に設けられていることを特徴とする請求項１に記載の収容ケース付き刃物製品。
【請求項４】
前記磁石は収容ケースの壁部内に埋設され、前記刃物の柄の尻部にある磁性体をこの壁部を介して引き付けることを特徴とする請求項２または請求項３に記載の収容ケース付き刃物製品。
【請求項５】
前記ケース本体は、底側の壁部とその底側の壁部の外周を囲う周囲の壁部とを有する外箱と、底側の壁部とその底側の壁部の外周を囲う周囲の壁部とを有する中箱とを備え、この中箱を外箱上に嵌め込んだ状態で、このケース本体における底側の壁部は外箱における底側の壁部と中箱における底側の壁部とからなり、このケース本体における周囲の壁部は外箱における周囲の壁部と中箱における周囲の壁部とからなり、前記磁石はこの外箱における周囲の壁部と中箱における周囲の壁部との間に嵌め込まれていることを特徴とする請求項３に記載の収容ケース付き刃物製品。
【請求項６】
前記刃物における柄の尻部で磁性体は環状の周面部の内側に端面部を有し、前記収容ケースの壁部で磁石はこの磁性体の端面部を引き付けるように磁性体に対し柄の延設方向に沿って並んでいることを特徴とする請求項２から請求項５のうちいずれかの請求項に記載の収容ケース付き刃物製品。
【請求項７】
刃体を取り付けた頭部から把持部を経て尻部にわたり延設された柄を有する刃物を収容して保持する刃物収容ケースにおいて、この刃物が載置される底壁部とその底壁部の外周を囲う周壁部とこの底壁部と周壁部とで形成される収容室とを有するケース本体を備え、この刃物をケース本体に収容した状態で、その刃物の刃体を保持する止め手段を設けるとともに、このケース本体の周壁部内には前記刃物の柄の尻部にある磁性体をこの周壁部を介して引き付ける磁石を埋設したことを特徴とする刃物収容ケース。
【発明の詳細な説明】
【技術分野】
【０００１】
本発明は、刃物収容ケース、並びに、その収容ケースと刃物とをセットにした収容ケース付き刃物製品に関するものである。
【背景技術】
【０００２】
下記特許文献１や特許文献２など、一または二以上の刃物（包丁やナイフ等）の全体を収容することができる収容ケースは種々提案されている。しかし、その収容ケース内で刃物を保持する構造は一般的に複雑になっていた。
【０００３】
そこで、収容ケースにおいて磁石を利用した刃物の保持構造を種々提案した。従来、この種の保持構造としては、下記特許文献３や特許文献４など種々提案されているが、いずれも、磁性体である刃体を磁石により吸着して保持するものであった。
【特許文献１】実開昭５６−１４１１３１号公報
【特許文献２】実開昭６２−１３９９８０号公報
【特許文献３】実公平４−４０６２２号公報
【特許文献４】実開平５−２６０３８号公報
【発明の開示】
【発明が解決しようとする課題】
【０００４】
しかし、刃体を磁石により吸着して保持する構造であると、刃体が位置する収容ケースの中央部寄りで壁部に磁石を配設しなければならず、収容ケースに対する磁石の取付構造が複雑になるおそれがあった。特に、収容ケースに二以上の刃物を互いに並べて収容する場合には、互いに隣接する刃体間に磁石を配設する必要があるため、収容ケースに対する磁石の取付構造がより一層複雑になるおそれがあった。
【０００５】
この発明は、収容ケース付き刃物製品及び刃物収容ケースで磁石を利用した刃物の保持構造において、収容ケースに対し磁石またはその磁石に引き付けられる磁性体を取り付ける構造を簡単にすることを目的としている。
【課題を解決するための手段】
【０００６】
後記実施形態の図面（図１〜３）の符号を援用して本発明を説明する。
＊  収容ケース付き刃物製品にかかる請求項１〜６の発明
請求項１の発明にかかる収容ケース付き刃物製品は、下記のように構成されている。
【０００７】
この収容ケース付き刃物製品（１）は、刃体（３）を取り付けた頭部（５）から把持部（６）を経て尻部（７）にわたり延設された柄（４）を有する刃物（２）と、その刃物（２）を収容して保持する収容ケース（８）とを備えている。磁石（２２，２４）とその磁石（２２，２４）に引き付けられる磁性体（７）とのうち一方のもの（２２，２４）を収容ケース（８）に設けるとともに他方のもの（７）を刃物（２）の柄（４）の尻部（７）に設けている。この磁石（２２，２４）以外に、刃物（２）を収容ケース（８）に収容した状態でその刃物（２）の刃体（３）を保持する止め手段（２０，２５）を収容ケース（８）に設けてもよい。
【０００８】
請求項１の発明では、刃物（２）のうち刃体（３）ではなく柄（４）しかもその端にある尻部（７）を磁力により保持するようにしたので、収容ケース（８）に一つの刃物（２）を収容するか、または、二以上の刃物（２）を互いに並べて収容した状態で、収容ケース（８）の外周部寄りに位置する柄（４）の尻部（７）に合わせて、磁石（２２，２４）または磁性体（７）も収容ケース（８）の外周部寄りに配設すればよく、その磁石（２２，２４）または磁性体（７）を収容ケース（８）の外周部に取り付け易くなる。
【０００９】
請求項１の発明を前提とする請求項２の発明において、前記磁石（２２，２４）は前記収容ケース（８）で収容室（１７）を形成する壁部（１６ｂ，１５）に一または二以上設けられ、前記磁性体（７）はこの収容室（１７）に入れられた前記刃物（２）における柄（４）の尻部（７）に設けられている。例えば、収容ケース（８）の壁部（１６ｂ，１５）で二以上の磁石（２２，２４）を並設した場合には、複数の刃物（２）を並べて配設し、それぞれの刃物（２）における柄（４）の尻部（７）を磁石（２２，２４）により保持する。ただし、二以上の磁石（２２，２４）を一体化した一つの磁石（図示せず）により刃物（２）における柄（４）の尻部（７）を保持してもよい。
【００１０】
請求項２の発明では、磁石（２２，２４）を収容ケース（８）の外周部で壁部（１６ｂ，１５）に取り付け易くなる。
請求項１の発明を前提とする請求項３の発明は、下記のように構成されている。
【００１１】
前記収容ケース（８）は、前記刃物（２）が載置される底側の壁部（１２，１５）と、その底側の壁部（１２，１５）の外周を囲う周囲の壁部（１３，１６）と、この底側の壁部（１２，１５）と周囲の壁部（１３，１６）とで形成される収容室（１７）とを有するケース本体（９）を備えている。前記磁石（２２，２４）はこのケース本体（９）で周囲の壁部（１３，１６）または底側の壁部（１２，１５）に一または二以上設けられている。前記磁性体（７）はこのケース本体（９）の収容室（１７）に入れられた前記刃物（２）における柄（４）の尻部（７）に設けられている。例えば、ケース本体（９）における周囲の壁部（１３，１６）または底側の壁部（１２，１５）で二以上の磁石（２２，２４）を並設した場合には、複数の刃物（２）を並べて配設し、それぞれの刃物（２）における柄（４）の尻部（７）を磁石（２２，２４）により保持する。ただし、二以上の磁石（２２，２４）を一体化した一つの磁石（図示せず）により刃物（２）における柄（４）の尻部（７）を保持してもよい。前記止め手段としては、例えば、刃体（３）の刃縁（３ａ）側を挿入するスリット（２０）をこのケース本体（９）における底側の壁部（１２，１５）に設けるとともに、刃体（３）の背縁（３ｂ）側を挿入するスリット（２５ａ）を有する押さえ（２５）を設ける。例えば、前記収容ケース（８）においては、ケース本体（９）のほかに、底側の壁部（１２，１５）に対向する収容室（１７）の出入部（１７ａ）を開閉可能に覆う蓋側の壁部（１０）を設ける。その蓋側の壁部（１０）はケース本体（９）に対し着脱可能に支持したり一体的に取り付けて回動可能に支持したりする。
【００１２】
請求項３の発明では、磁石（２２，２４）を収容ケース（８）の外周部で周囲の壁部（１３，１６）または底側の壁部（１２，１５）に取り付け易くなる。
請求項２または請求項３の発明を前提とする請求項４の発明において、前記磁石（２２，２４）は収容ケース（８）の壁部（１３，１６，１２，１５）内に埋設され、前記刃物（２）の柄（４）の尻部（７）にある磁性体（７）をこの壁部（１３，１６，１２，１５）を介して引き付ける。
【００１３】
請求項４の発明では、磁石（２２，２４）を壁部（１３，１６，１２，１５）により覆い隠すので、収容ケース（８）の外観を損なうことなく高級感をかもし出すことができる。
【００１４】
請求項３の発明を前提とする請求項５の発明は、下記のように構成されている。
前記ケース本体（９）は、底側の壁部（１２）とその底側の壁部（１２）の外周を囲う周囲の壁部（１３）とを有する外箱（１１）と、底側の壁部（１５）とその底側の壁部（１５）の外周を囲う周囲の壁部（１６）とを有する中箱（１４）とを備えている。この中箱（１４）を外箱（１１）上に嵌め込んだ状態で、このケース本体（９）における底側の壁部は、外箱（１１）における底側の壁部（１２）と中箱（１４）における底側の壁部（１５）とからなる。このケース本体（９）における周囲の壁部は、外箱（１１）における周囲の壁部（１３）と中箱（１４）における周囲の壁部（１６）とからなる。この中箱（１４）と外箱（１１）とは互いに着脱可能に取り付けたり着脱不能に取り付けたりする。前記磁石（２２）はこの外箱（１１）における周囲の壁部（１３）と中箱（１４）における周囲の壁部（１６）との間に嵌め込まれている。例えば、この磁石（２２）は、中箱（１４）における周囲の壁部（１６）に形成した凹部（２１）に嵌め込まれ、外箱（１１）における周囲の壁部（１３）により隠されている。前記止め手段としては、例えば、刃体（３）の刃縁（３ａ）側を挿入するスリット（２０）をこの中箱（１４）の底側の壁部（１５）に設けるとともに、刃体（３）の背縁（３ｂ）側を挿入するスリット（２５ａ）を有する押さえ（２５）を設ける。なお、ケース本体（９）を外箱（１１）と中箱（１４）とに分けたので、中箱（１４）を加工するだけで、上記凹部（２１）やスリット（２０）を容易に形成することができる。
【００１５】
請求項５の発明では、磁石（２２）を中箱（１４）及び外箱（１１）における周囲の壁部（１６，１３）により覆い隠すので、収容ケース（８）の外観を損なうことなく高級感をかもし出すことができるばかりではなく、外箱（１１）における周囲の壁部（１３）と中箱（１４）における周囲の壁部（１６）との間に磁石（２２）を嵌め込むだけでケース本体（９）に対し容易に取り付けることができる。
【００１６】
請求項２から請求項５のうちいずれかの請求項の発明を前提とする請求項６の発明において、前記刃物（２）における柄（４）の尻部（７）で磁性体（７）は環状の周面部（７ａ）の内側に端面部（７ｂ）を有し、前記収容ケース（８）の壁部（１６，１３）で磁石（２２）はこの磁性体（７）の端面部（７ｂ）を引き付けるように磁性体（７）に対し柄（４）の延設方向に沿って並んでいる。
【００１７】
請求項６の発明では、収容ケース（８）で刃物（２）と磁石（２２）とをコンパクトに配置することができる。
＊  刃物収容ケースにかかる請求項７の発明及び第８の発明
請求項７の発明にかかる刃物収容ケース（８）は、下記のように構成されている。
【００１８】
この刃物収容ケース（８）は、刃体（３）を取り付けた頭部（５）から把持部（６）を経て尻部（７）にわたり延設された柄（４）を有する刃物（２）を収容して保持し、この刃物（２）が載置される底壁部（１２，１５）とその底壁部（１２，１５）の外周を囲う周壁部（１３，１６）とこの底壁部（１２，１５）と周壁部（１３，１６）とで形成される収容室（１７）とを有するケース本体（９）を備えている。この刃物（２）をケース本体（９）に収容した状態で、その刃物（２）の刃体（３）を保持する止め手段（２０，２５）を設けている。このケース本体（９）の周壁部（１３，１６）内には前記刃物（２）の柄（４）の尻部（７）にある磁性体（７）をこの周壁部（１３，１６）を介して引き付ける一または二以上の磁石（２２）を埋設している。例えば、ケース本体（９）の周壁部（１３，１６）で二以上の磁石（２２）を並設した場合には、複数の刃物（２）を並べて配設し、それぞれの刃物（２）における柄（４）の尻部（７）を磁石（２２）により保持する。ただし、二以上の磁石（２２）を一体化した一つの磁石（図示せず）により刃物（２）における柄（４）の尻部（７）を保持してもよい。前記止め手段としては、例えば、刃体（３）の刃縁（３ａ）側を挿入するスリット（２０）をこのケース本体（９）における底壁部（１２，１５）に設けるとともに、刃体（３）の背縁（３ｂ）側を挿入するスリット（２５ａ）を有する押さえ（２５）を設ける。
【００１９】
請求項７の発明では、刃物（２）のうち刃体（３）ではなく柄（４）しかもその端にある尻部（７）を磁石（２２）により保持することができるので、収容ケース（８）に一つの刃物（２）を収容するか、または、二以上の刃物（２）を互いに並べて収容した状態で、収容ケース（８）の外周部寄りに位置する柄（４）の尻部（７）に合わせて、磁石（２２）も収容ケース（８）の外周部寄りに配設すればよく、その磁石（２２）を収容ケース（８）の外周部で周壁部（１３，１６）に取り付け易くなる。また、磁石（２２）を周壁部（１３，１６）により覆い隠すので、収容ケース（８）の外観を損なうことなく高級感をかもし出すことができる。
【００２０】
請求項７の発明を前提とする第８の発明は、下記のように構成されている。
前記ケース本体（９）は、底壁部（１２）とその底壁部（１２）の外周を囲う周壁部（１３）とを有する外箱（１１）と、底壁部（１５）とその底壁部（１５）の外周を囲う周壁部（１６）とを有する中箱（１４）とを備えている。この中箱（１４）を外箱（１１）上に嵌め込んだ状態で、このケース本体（９）の底壁部は、外箱（１１）の底壁部（１２）と中箱（１４）の底壁部（１５）とからなる。このケース本体（９）の周壁部は、外箱（１１）の周壁部（１３）と中箱（１４）の周壁部（１６）とからなる。前記磁石（２２）はこの外箱（１１）の周壁部（１３）と中箱（１４）の周壁部（１６）との間に嵌め込まれている。例えば、この磁石（２２）は、中箱（１４）の周壁部（１６）に形成した凹部（２１）に嵌め込まれ、外箱（１１）の周壁部（１３）により隠されている。前記止め手段としては、例えば、刃体（３）の刃縁（３ａ）側を挿入するスリット（２０）をこの中箱（１４）の底壁部（１５）に設けるとともに、刃体（３）の背縁（３ｂ）側を挿入するスリット（２５ａ）を有する押さえ（２５）を設ける。例えば、この刃物収容ケース（８）においては、ケース本体（９）のほかに、底壁部（１５）に対向する収容室（１７）の出入部（１７ａ）を開閉可能に覆う蓋箱（１０）を設ける。その蓋箱（１０）はケース本体（９）に対し着脱可能に支持したり一体的に取り付けて回動可能に支持したりする。
【００２１】
第８の発明では、磁石（２２）を中箱（１４）及び外箱（１１）における周壁部（１６，１３）により覆い隠すので、収容ケース（８）の外観を損なうことなく高級感をかもし出すことができるばかりではなく、外箱（１１）の周壁部（１３）と中箱（１４）の周壁部（１６）との間に磁石（２２）を嵌め込むだけでケース本体（９）に対し容易に取り付けることができる。なお、ケース本体（９）を外箱（１１）と中箱（１４）とに分けたので、中箱（１４）を加工するだけで、上記凹部（２１）やスリット（２０）を容易に形成することができる。
【発明の効果】
【００２２】
本発明は、収容ケース付き刃物製品（１）及び刃物収容ケース（８）で磁石（２２，２４）を利用した刃物（２）の保持構造において、刃物収容ケース（８）に対し磁石（２２，２４）またはその磁石（２２，２４）に引き付けられる磁性体（７）を取り付ける構造を簡単にすることができる。
【発明を実施するための最良の形態】
【００２３】
まず、本発明の第一実施形態にかかる収容ケース付き刃物製品について図１、図２及び図３（ａ）を参照して説明する。
この収容ケース付き刃物製品１は、刃体３を取り付けた頭部側にある口金５から把持部６を経て尻部側にある尻金７にわたり延設された柄４を有する複数（３本）の刃物２と、その刃物２の全体を収容して保持する収容ケース８とを備えている。この収容ケース８はかえでの木などの木材やプラスチックなどからなるケース本体９と蓋箱１０とからなる。このケース本体９は、底壁部１２とその底壁部１２の外周を囲う周壁部１３とを有する外箱１１と、底壁部１５とその底壁部１５の外周を囲う周壁部１６とを有する中箱１４と、互いに平行な複数（３本）のスリット２５ａを有する押さえ２５（止め手段）とからなる。この外箱１１の周壁部１３は前壁部１３ａと後壁部１３ｂと左壁部１３ｃと右壁部１３ｄとからなる。この中箱１４の周壁部１６は前壁部１６ａと後壁部１６ｂと左壁部１６ｃと右壁部１６ｄとからなる。この中箱１４はこの外箱１１の内側に嵌め込まれ、外箱１１の底壁部１２上に中箱１４の底壁部１５が重合されるとともに、外箱１１の周壁部１３（前壁部１３ａ、後壁部１３ｂ、左壁部１３ｃ、右壁部１３ｄ）に中箱１４の周壁部１６（前壁部１６ａ、後壁部１６ｂ、左壁部１６ｃ、右壁部１６ｄ）が重合される。この中箱１４において底壁部１５上と周壁部１６の内側との間には収容室１７が設けられて底壁部１５に対向する出入部１７ａで開放されている。前記蓋箱１０は天壁部１８とその天壁部１８の外周を囲う周壁部１９とを有している。前記ケース本体９においてこの蓋箱１０の周壁部１９を中箱１４の周壁部１６の外側で外箱１１の周壁部１３上に重合させると、中箱１４の収容室１７の出入部１７ａを蓋箱１０の天壁部１８により開閉可能に覆うことができる。ちなみに、この収容ケース付き刃物製品１においては、平面側から見た長手方向の全長が約２３０ｍｍに設定されている。
【００２４】
前記中箱１４において底壁部１５には周壁部１６の前壁部１６ａと後壁部１６ｂとの中間部付近からその前壁部１６ａにまで貫通して切り込まれた複数（３本）のスリット２０（止め手段）が周壁部１６の左右両壁部１６ｃ，１６ｄと平行に形成されている。
【００２５】
前記中箱１４において周壁部１６の後壁部１６ｂの外側には複数（３個）の凹部２１が周壁部１６の左壁部１６ｃと右壁部１６ｄとの間で並ぶように形成され、その各凹部２１に磁石２２が埋設されて外側に露出している。この各磁石２２は、中箱１４を前記外箱１１の内側に嵌め込んだ状態で、中箱１４の周壁部１６の後壁部１６ｂとこの外箱１１の周壁部１３の後壁部１３ｂとの間に挟まれてその後壁部１３ｂにより覆い隠される。
【００２６】
前記各刃物２において尻金７は、金属からなる磁性体であって、環状の周面部７ａの内側に端面部７ｂを有している。ケース本体９から蓋箱１０を開いて中箱１４の収容室１７に出入部１７ａからこの各刃物２を入れ、各スリット２０に刃体３の刃縁３ａ側を挿入するとともに、柄４を底壁部１５上に載せて尻金７の端面部７ｂを周壁部１６の後壁部１６ｂに当てがう。この状態で各磁石２２は磁性体である尻金７に対し柄４の延設方向に沿って並ぶ。その際、尻金７の端面部７ｂは磁石２２によりこの後壁部１６ｂを介して引き付けられる。従って、各刃物２は、それらの刃体３が互いに隣接して並ぶとともにそれらの柄４が互いに隣接して並んだ状態で、収容室１７に保持される。その後、押さえ２５を中箱１４の内側に嵌め込んで各スリット２５ａに刃体３の背縁３ｂ側を挿入する。次に、ケース本体９に対し蓋箱１０を閉じる。また、各刃物２を収容室１７から出す際、ケース本体９に対し蓋箱１０を開いて押さえ２５を刃体３の背縁３ｂ側から抜いた後、柄４の把持部６を上方へ持ち上げると、各スリット２０から刃体３の刃縁３ａ側が抜かれるとともに、尻金７の端面部７ｂが磁石２２の磁力から解除される。
【００２７】
図３（ｂ）に示す別例では、前記中箱１４において底壁部１５の外側には複数（３個）の凹部２３が周壁部１６の左壁部１６ｃと右壁部１６ｄとの間で並ぶように形成され、その各凹部２３に磁石２４が埋設されて外側に露出している。この各磁石２４は、中箱１４を前記外箱１１の内側に嵌め込んだ状態で、中箱１４の底壁部１５とこの外箱１１の底壁部１２との間に挟まれてその底壁部１２により覆い隠される。各刃物２を収容室１７に入れた状態で、尻金７の周面部７ａは磁石２４によりこの底壁部１５を介して引き付けられる。
【００２８】
なお、図示しないが、前記刃物２において柄４の尻金７の端面部７ｂを磁石に変更するとともに、収容ケース８のケース本体９において外箱１１の周壁部１３と中箱１４の周壁部１６との間に磁性体を埋設してもよい。
【図面の簡単な説明】
【００２９】
【図１】（ａ）は本実施形態にかかる収容ケース付き刃物製品を示す組付斜視図であり、（ｂ）はその収容ケースを示す分解斜視図である。
【図２】図１（ｂ）のうちケース本体を示す組付平面図である。
【図３】（ａ）は図１（ａ）の断面図であり、（ｂ）は別例を示す部分断面図である。
【符号の説明】
【００３０】
１…収容ケース付き刃物製品、２…刃物、３…刃体、３ａ…刃縁、４…柄、５…口金（頭部）、６…把持部、７…尻金（尻部、磁性体）、７ａ…周面部、７ｂ…端面部、８…刃物収容ケース、９…ケース本体、１１…外箱、１２…底壁部、１３…周壁部、１４…中箱、１５…底壁部、１６…周壁部、１７…収容室、２０…スリット（止め手段）、２２，２４…磁石、２５…押さえ（止め手段）。
【図１】
2006232324.tif 000003
【図２】
2006232324.tif 000004
【図３】
2006232324.tif 000005